(57)【要約】【課題】メダル投入口からワイヤー状部材を挿入し、メダル投入口とメダルセレクターとの間の間隙から、筐体内の装置に不正にアクセスされるのを防止する。【解決手段】前扉30の前面に設けられ、遊技メダルが通過可能かつ遊技メダルを下方へ落下させるためのスリット44aを有するメダル投入口44と、前扉30の裏面におけるメダル投入口44の下端よりも下方に設けられ、メダル投入口44から投入された遊技メダルの選別を行う箱形のメダルセレクター43と、を備え、メダルセレクター43の上面に、遊技メダルが通過可能なメダル入口59が形成されているスロットマシン10において、スリット44a及びメダル入口59よりも奥側に、メダル投入口44とメダルセレクター43との間に生じる間隙を遮蔽するための間隙遮蔽部70を設ける。【選択図】図３
2014018558.tif 000002
【特許請求の範囲】
【請求項１】
前面側に開口を有する箱型の筐体と、
筐体の前面側の開口を開塞可能な前扉と、
前扉の前面に設けられ、遊技メダルが通過可能でありかつ遊技メダルを下方へ落下させるためのスリットを有するメダル投入口と、
前扉の裏面におけるメダル投入口の下端よりも下方に設けられ、メダル投入口から投入された遊技メダルの選別を行う箱形のメダルセレクターと、を備え、
メダルセレクターの上面には、メダル投入口から投入された遊技メダルが通過可能なメダル入口が形成されているスロットマシンであって、
スリット及びメダル入口よりも奥側の所定位置には、メダル投入口とメダルセレクターとの間に生じる間隙を遮蔽するための間隙遮蔽部が設けられていることを特徴とするスロットマシン。
【請求項２】
前面側に開口を有する箱型の筐体と、
筐体の前面側の開口を開塞可能な前扉と、
前扉の前面に設けられ、遊技メダルが通過可能でありかつ遊技メダルを下方へ落下させるためのスリットを有するメダル投入口と、
前扉の裏面におけるメダル投入口の下端よりも下方に設けられ、メダル投入口から投入された遊技メダルの選別を行う箱形のメダルセレクターと、を備え、
メダルセレクターの上面には、メダル投入口から投入された遊技メダルが通過可能なメダル入口が形成されているスロットマシンであって、
メダル投入口又はメダルセレクターの一方には、スリット及びメダル入口よりも奥側に位置し、メダル投入口とメダルセレクターとの間に生じる間隙を遮蔽するための間隙遮蔽部が設けられ、
他方には、スリット及びメダル入口よりも手前側に位置し、スリット及びメダル入口を挟んで間隙遮蔽部と対向するとともに間隙遮蔽部と係合可能な壁部が設けられ、
間隙遮蔽部と壁部とが係合することで間隙遮蔽部と壁部との間に形成される間隙により、スリットからメダル入口まで至る遊技メダルの流路が形成されることを特徴とするスロットマシン。
【発明の詳細な説明】
【技術分野】
【０００１】
この発明は、スロットマシンに関し、詳しくは、遊技メダルを投入するメダル投入口と、当該メダル投入口から投入された遊技メダルを選別するメダルセレクターと、を備えたスロットマシンに関する。
【背景技術】
【０００２】
従来、この種のスロットマシンとしては、遊技に使用される遊技媒体として遊技メダルを用いるものが知られている。
このようなスロットマシンにおいては、前扉の前面における所定位置に、遊技メダルを投入するためのメダル投入口が設けられるとともに、前扉の裏面におけるメダル投入口の下端よりも下方に、メダル投入口から投入された遊技メダルをが正規のものであるか否かの選別を行うためのメダルセレクターが設けられている。また、このようなスロットマシンにおいては、筐体内に、メダル投入口から投入された遊技メダルを貯留するとともに遊技の結果等に応じて貯留されている遊技メダルを排出するためのホッパー装置、ホッパー装置の作動や遊技における抽選等を実行するための制御装置を構成するメイン基板等が設けられている。
【０００３】
このようなスロットマシンは、下記の特許文献１に開示されている。
【先行技術文献】
【特許文献】
【０００４】
【特許文献１】特開２０１０−２５３１３９号公報
【発明の概要】
【発明が解決しようとする課題】
【０００５】
上述のようなスロットマシンにおいては、ピアノ線や針金等のワイヤー状部材をスロットマシンの外部から挿入することで、筐体内に設置されたホッパー装置やメイン基板等が不正に操作されるのを防止すべく、前扉の前面には、極力、筐体内へ通じる隙間が生じないように形成されている。
しかし、このようなスロットマシンでは、遊技メダルを用いて遊技が行われることから、メダル投入口を塞ぐことはできないため、このメダル投入口から筐体内へワイヤー状部材を挿入できてしまうこととなっている。
また、上述の如く、メダルセレクターは、メダル投入口の下端よりも下方に位置しており、メダル投入口とメダルセレクターとは別体となっているため、前扉に取り付けた際、メダル投入口とメダルセレクターとの間に若干の間隙が生じることが多い。
【０００６】
そのため、ワイヤー状部材をメダル投入口から挿入し、メダル投入口とメダルセレクターとの間に生じる間隙から当該ワイヤー状部材を、筐体の内部方向へ向けて進入させることで、筐体の内部に設置されているホッパー装置やメイン基板等へ比較的容易にアクセスされてしまうというおそれが生じていた。
そこで、下記の発明は、上記した事情によりなされたものであり、メダル投入口からワイヤー状部材を挿入することにより、メダル投入口とメダルセレクターとの間に生じる間隙を介して、筐体内の装置に不正にアクセスされるのを効果的に防止可能なスロットマシンを提供することを目的とする。
【課題を解決するための手段】
【０００７】
下記の発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（第１の発明）
第１の発明は、前面側に開口20aを有する箱型の筐体20と、筐体20の前面側の開口20aを開塞可能な前扉30と、前扉30の前面に設けられ、遊技メダルが通過可能でありかつ遊技メダルを下方へ落下させるためのスリット44aを有するメダル投入口44と、前扉30の裏面におけるメダル投入口44の下端よりも下方に設けられ、メダル投入口44から投入された遊技メダルの選別を行う箱形のメダルセレクター43と、を備え、メダルセレクター43の上面には、メダル投入口44から投入された遊技メダルが通過可能なメダル入口59が形成されているスロットマシン10であって、スリット44a及びメダル入口59よりも奥側の所定位置には、メダル投入口44とメダルセレクター43との間に生じる間隙を遮蔽するための間隙遮蔽部70（リブ71）が設けられていることを特徴とする。
【０００８】
間隙遮蔽部70は、スリット44a及びメダル入口59よりも奥側（すなわち、筐体20の内部側）に位置し、メダル投入口44とメダルセレクター43との間に生じる間隙を遮蔽するためのものである。
具体的には、間隙遮蔽部70は、たとえば、スリット44a及びメダル入口59よりも奥側の近傍に位置しており、スリット44a及びメダル入口59を含む横幅を有し、かつ、少なくともメダルセレクター43の上面からメダル投入口44の下面まで至る高さを有するリブ71（突条部材）とすることができる。
なお、この間隙遮蔽部70は、メダル投入口44とメダルセレクター43との間に生じる間隙を遮蔽できれば特に限定されるものではなく、たとえば、薄板状の遮蔽板等とすることもできる。
【０００９】
また、間隙遮蔽部70は、メダルセレクター43の上面からメダル投入口44に向けて突出する部材とすることもできるし、メダル投入口44の下面からメダルセレクター43に向けて突出する部材とすることもできる。また、メダルセレクター43の上面からメダル投入口44に向けて突出する部材と、メダル投入口44の下面からメダルセレクター43に向けて突出する部材とを設け、これらの部材が互いに係合することで、メダル投入口44とメダルセレクター43との間に生じる間隙が遮蔽するように形成してもよい。
また、間隙遮蔽部70は、上述の如く、スリット44a及びメダル入口59を含む横幅を有しているのが好適である。すなわち、間隙遮蔽部70の横幅は、スリット44a及びメダル入口59を含む横幅以上の長さとすることができる。
【００１０】
また、間隙遮蔽部70は、少なくともメダルセレクター43の上面からメダル投入口44の下面まで至るような高さを有しているのが好適である。具体的には、間隙遮蔽部70は、たとえば、メダルセレクター43の上面の高さ位置からメダル投入口44の下面の高さ位置まで至るように形成することができる。また、メダルセレクター43の上面の高さ位置から、メダル投入口44の下面よりも上側の所定の高さ位置まで至るように形成してもよい。また、メダルセレクター43の上面よりも下側の所定の高さ位置から、メダル投入口44の下面の高さ位置まで至るように形成してもよい。また、メダルセレクター43の上面よりも下側の所定の高さ位置から、メダル投入口44の下面よりも上側の所定の高さ位置まで至るように形成してもよい。
【００１１】
（作用・効果）
本発明に係るスロットマシン10においては、前扉30の前面側にメダル投入口44が設けられており、このメダル投入口44は、遊技メダルが通過可能でありかつ遊技メダルを下方へ落下させるためのスリット44aを有している。また、前扉30の裏面側におけるメダル投入口44の下端よりも下方にメダルセレクター43が設けられており、このメダルセレクター43の上面には、メダル投入口44から投入された遊技メダルが通過可能なメダル入口59が形成されている。
そして、メダル投入口44のスリット44a及びメダルセレクター43のメダル入口59よりも奥側の所定位置に、メダル投入口44とメダルセレクター43との間に生じる間隙を遮蔽するための間隙遮蔽部70が設けられている。
【００１２】
すなわち、本発明に係るスロットマシン10によれば、スリット44a及びメダル入口59よりも奥側に設けられた間隙遮蔽部70により、メダル投入口44とメダルセレクター43との間に生じる間隙が遮蔽されるため、メダル投入口44からピアノ線等のワイヤー状部材が挿入されたとしても、メダル投入口44及びメダルセレクター43よりも奥側の筐体20内部へ進入することができない。
したがって、本発明に係るスロットマシン10によれば、メダル投入口44からワイヤー状部材を挿入することにより、メダル投入口44とメダルセレクター43との間に生じる間隙を介して、筐体20内の装置に不正にアクセスされるのを効果的に防止することができるのである。
【００１３】
（第２の発明）
第２の発明は、前面側に開口20aを有する箱型の筐体20と、筐体20の前面側の開口20aを開塞可能な前扉30と、前扉30の前面に設けられ、遊技メダルが通過可能でありかつ遊技メダルを下方へ落下させるためのスリット44aを有するメダル投入口44と、前扉30の裏面におけるメダル投入口44の下端よりも下方に設けられ、メダル投入口44から投入された遊技メダルの選別を行う箱形のメダルセレクター43と、を備え、メダルセレクター43の上面には、メダル投入口44から投入された遊技メダルが通過可能なメダル入口59が形成されているスロットマシン10であって、メダル投入口44又はメダルセレクター43の一方には、スリット44a及びメダル入口59よりも奥側に位置し、メダル投入口44とメダルセレクター43との間に生じる間隙を遮蔽するための間隙遮蔽部70が設けられ、他方には、スリット44a及びメダル入口59よりも手前側に位置し、スリット44a及びメダル入口59を挟んで間隙遮蔽部70と対向するとともに間隙遮蔽部70と係合可能な壁部80が設けられ、間隙遮蔽部70と壁部80とが係合することで間隙遮蔽部70と壁部80との間に形成される間隙により、スリット44aからメダル入口59まで至る遊技メダルの流路が形成されることを特徴とする。
【００１４】
間隙遮蔽部70は、スリット44a及びメダル入口59よりも奥側に位置し、メダル投入口44とメダルセレクター43との間に生じる間隙を遮蔽するためのものであり、第１の発明における間隙遮蔽部70と同様である。
また、壁部80は、スリット44a及びメダル入口59よりも手前側に位置し、スリット44a及びメダル入口59を挟んで間隙遮蔽部70と対向するとともに間隙遮蔽部70と係合可能なものである。この壁部80は、間隙遮蔽部70と同様に、リブ（突条部材）や薄板状の遮蔽板とすることができる。
また、本発明に係るスロットマシン10においては、メダル投入口44又はメダルセレクター43の一方に間隙遮蔽部70が設けられ、他方に壁部80が設けられている。
【００１５】
すなわち、メダル投入口44に間隙遮蔽部70を設けた場合には、メダルセレクター43に壁部80を設けることができる。この場合には、間隙遮蔽部70を、メダル投入口44の下面からメダルセレクター43に向けて突出するように形成することができ、壁部80を、メダルセレクター43の上面からメダル投入口44に向けて突出するように形成することができる。
また、メダル投入口44に壁部80を設けた場合には、メダルセレクター43に間隙遮蔽部70を設けることができる。この場合には、壁部80を、メダル投入口44の下面からメダルセレクター43に向けて突出するように形成することができ、間隙遮蔽部70を、メダルセレクター43の上面からメダル投入口44に向けて突出するように形成することができる。
【００１６】
また、本発明に係るスロットマシン10では、間隙遮蔽部70と壁部80とが係合することで間隙遮蔽部70と壁部80との間に形成される間隙により、スリット44aからメダル入口59まで至る遊技メダルの流路が形成される。具体的には、間隙遮蔽部70と壁部80とが互いに対向する面にそれぞれ、遊技メダルの流路を構成するための一対の溝部を形成することで、間隙遮蔽部70と壁部80とが対向して係合することにより、遊技メダルの流路が形成されることとなる。
（作用・効果）
本発明に係るスロットマシン10においては、前扉30の前面側にメダル投入口44が設けられており、このメダル投入口44は、遊技メダルが通過可能でありかつ遊技メダルを下方へ落下させるためのスリット44aを有している。また、前扉30の裏面側におけるメダル投入口44の下端よりも下方にメダルセレクター43が設けられており、このメダルセレクター43の上面には、メダル投入口44から投入された遊技メダルが通過可能なメダル入口59が形成されている。
【００１７】
また、メダル投入口44又はメダルセレクター43の一方には、スリット44a及びメダル入口59よりも奥側に位置し、メダル投入口44とメダルセレクター43との間に生じる間隙を遮蔽するための間隙遮蔽部70が設けられており、他方には、スリット44a及びメダル入口59よりも手前側に位置し、スリット44a及びメダル入口59を挟んで間隙遮蔽部70と対向するとともに間隙遮蔽部70と係合可能な壁部80が設けられている。そして、間隙遮蔽部70と壁部80とが係合することで間隙遮蔽部70と壁部80との間に形成される間隙により、スリット44aからメダル入口59まで至る遊技メダルの流路が形成されるようになっている。
すなわち、本発明に係るスロットマシン10によれば、スリット44a及びメダル入口59よりも奥側に設けられた間隙遮蔽部70により、メダル投入口44とメダルセレクター43との間に生じる間隙が遮蔽されるため、メダル投入口44からピアノ線等のワイヤー状部材が挿入されたとしても、メダル投入口44及びメダルセレクター43よりも奥側の筐体20内部へ進入することができない。
【００１８】
したがって、本発明に係るスロットマシン10によれば、メダル投入口44からワイヤー状部材を挿入することにより、メダル投入口44とメダルセレクター43との間に生じる間隙を介して、筐体20内の装置に不正にアクセスされるのを効果的に防止することができるのである。
また、本発明に係るスロットマシン10によれば、スリット44aからメダル入口59まで至る遊技メダルの流路は、間隙遮蔽部70及び壁部80という異なる２つの別部材を係合させて構成される。すなわち、本発明に係るスロットマシン10によれば、たとえば、上述の流路内において発生したメダル詰まりを解消する場合や、当該流路を清掃するような場合には、係合している間隙遮蔽部70及び壁部80の係合を解除する（すなわち、分離する）ことで所望の作業ができるため、メンテナンス性の向上を図ることができるのである。
【発明の効果】
【００１９】
本発明は、以上のように構成されているので、以下に記載されるような効果を奏する。
すなわち、本発明によれば、メダル投入口からワイヤー状部材を挿入することにより、メダル投入口とメダルセレクターとの間に生じる間隙を介して、筐体内の装置に不正にアクセスされるのを効果的に防止可能なスロットマシンを提供することができる。
【図面の簡単な説明】
【００２０】
【図１】本発明の第１の形態であって、スロットマシンの外観を示す正面図である。
【図２】本発明の第１の形態であって、スロットマシンの前扉を開放した状態をを示す正面図である。
【図３】本発明の第１の形態であって、メダルセレクターの外観を示す斜視図及び平面図である。
【図４】本発明の第１の形態であって、メダル投入口、メダルセレクター及びその周辺を示す前扉の右側断面の拡大図である。
【図５】本発明の第２の形態であって、メダル投入口及びその周辺を示す前扉裏面の拡大図である。
【図６】本発明の第２の形態であって、メダルセレクターの外観を示す斜視図である。
【図７】本発明の第２の形態であって、メダル投入口、メダルセレクター及びその周辺を示す前扉の左側断面の拡大図である。
【図８】本発明の第１及び第２の形態の変形例であって、スロットマシンの前扉の裏面を示す正面図である。
【図９】本発明の第１及び第２の形態の変形例であって、メダル投入口、メダルセレクター及びその周辺を示す前扉の左側断面の拡大図である。
【発明を実施するための形態】
【００２１】
以下、本発明を実施するための形態を図面を参照しつつ説明する。
なお、本形態において、「前面」又は「正面」とは、スロットマシン10における、遊技者が遊技を行う際に向き合う面をいう。また、「奥側」とは、スロットマシン10の前面に向き合う遊技者から見て奥側を意味する。また、「右側」とは、スロットマシン10の前面に向き合う遊技者から見て右側を意味し、「左側」とは、スロットマシン10の前面に向き合う遊技者から見て左側を意味する。
（第１の形態）
（スロットマシン10）
本形態に係る遊技機は、遊技媒体として円板状の遊技メダルを使用するスロットマシン10である。
【００２２】
このスロットマシン10は、図２に示すように、前面側に開口20aを有する箱状の筐体20を備えている。また、図１及び図２に示すように、筐体20の前面側には、開口20aを開塞自在な前扉30を備えている。この前扉30は、筐体20の左端部にヒンジ31により取り付けられており、この部分を軸として前後方向に回転自在なものとなっている。
（筐体20）
筐体20には、図２に示すように、高さ方向の中央付近に、この筐体20の内部空間を上下２つの空間に仕切る中板26が設けられている。
そして、この筐体20における、中板26の上側の空間には、主にスロットマシン10の作動を制御するためのメイン基板を収納する基板ユニット29a、３個の回転リール25を横並びに設けたリールユニット21等を備えている。なお、この筐体20における、中板26の上側の空間には、これらの装置以外の装置を備えることもできる。
【００２３】
また、この筐体20における、中板26の下側の空間には、スロットマシン10に備えられた各種装置に電力を供給するための電源装置28や、遊技メダルを貯留するとともに役の入賞時等に遊技メダルを払い出すためのホッパー装置27、ホッパー装置27に隣接して設けられているとともにホッパー装置27から溢れた遊技メダルを貯留するためのオーバーフロータンク46等を備えている。なお、この筐体20における、中板26の下側の空間には、これら以外の装置や部材等も備えることもできる。
（前扉30）
前扉30の前面略中央には、図１に示すように、長方形状のプラスチック板により構成される上部パネル32aが設けられており、この上部パネル32aに、筐体20の内部に設けられた各回転リール25の周囲に付されている図柄を見ることができる表示窓34が形成されている。この表示窓34は、各回転リール25の前方に位置しており、３個全ての回転リール25が停止した際には、縦３列横３列に配列した合計９個の図柄を見ることができるように形成されている。
【００２４】
また、上部パネル32aの上方には、図１に示すように、画像や文字を表示することで各種演出を行う液晶表示装置53が設けられている。また、図１に示すように、この液晶表示装置53の上部及び左右両側部には、遊技状態に応じて点灯したり、消灯したりすることで各種演出を行うランプ52が設けられており、また、前扉30の前面左右両側端部には、サイドランプ55が設けられている。
また、上部パネル32aの下方であって、前扉30の前面中央には、図１に示すように、前扉30の前面から前方へ向けて突出するカウンター状の操作部33が設けられている。
この操作部33の上面右側には、遊技メダルを投入するためのメダル投入口44が設けられている。また、操作部33の上面左側には、スロットマシン10に電子的に貯留されているクレジットメダルを１枚ベットするためのシングルベットスイッチ36a、及び、クレジットメダルを１回の遊技につき投入可能な最大枚数分（たとえば、３枚）ベットするためのマックスベットスイッチ36bが横並びに設けられている。また、操作部33の上面中央には、演出の進行等に用いられ、所定のタイミングで操作することにより液晶表示装置53等で実行されている演出の表示内容を切り替えることが可能な演出スイッチ39が設けられている。
【００２５】
また、操作部33の前面左側には、図１に示すように、３個の回転リール25全ての回転を開始させるためのレバー状のスタートスイッチ37が設けられている。また、操作部33の前面中央には、各回転リール25に対応するとともに、各回転リール25の回転をそれぞれ別個に停止させるための３個のストップスイッチ38が横並びに設けられている。また、操作部33の前面右端部には、前扉30を解錠するための鍵穴42が設けられている。
また、操作部33の下方には、図１に示すように、前面側に遊技機のイメージキャラクターや機種名等の所定の情報を表示する下部パネル32bが設けられている。
また、前扉30の下部中央には、図１に示すように、ホッパー装置27からの遊技メダルの払い出し、又は、メダル投入口44から投入された遊技メダルの返却を行うためのメダル払出口40が設けられ、また、メダル払出口40の左右両側には、音声や効果音等を出力するためのスピーカー54がそれぞれ１つずつ設けられている。また、メダル払出口40の下方には、メダル払出口40から払い出された遊技メダルを貯めておくことができるメダル受け皿41が設けられている。
【００２６】
また、前扉30の裏面における、液晶表示装置53に対応する位置には、図２に示すように、主にスロットマシン10の演出を制御するためのサブ基板を収納するサブ基板ユニット29bが設けられている。
また、前扉30の裏面における、メダル投入口44に対応する位置、より具体的には、メダル投入口44の後方側であって当該メダル投入口44の下端よりも下方に相当する位置には、図２に示すように、メダル投入口44から投入された遊技メダルが正規のものであるか否かの選別を行うための箱形のメダルセレクター43が取り付けられている。また、前扉30の裏面における、メダルセレクター43からメダル払出口40にかけての位置には、前扉30の裏面に沿うようにして、メダルシュート45が設けられている。このメダルシュート45は、メダルセレクター43により正規のものでないとして排除された遊技メダルを受け入れてメダル払出口40まで誘導するメダル返却通路を形成するためのものである。また、前扉30の裏面における、メダルセレクター43からホッパー装置27へ向けての位置には、図２に示すように、メダル流路形成部材61が設けられている。このメダル流路形成部材61は、正規のものとしてメダルセレクター43により排除されずに流下してきた遊技メダルをホッパー装置27へ誘導するメダル流路を形成するためのものである。
【００２７】
また、前扉30の裏面には、特に図示していないが、メダルセレクター43や他の装置等とメイン基板とを電気的に接続させるための中継基板が設けられている。
（メダル投入口44）
メダル投入口44は、上述の如く、遊技を行うに際し遊技メダルを投入するところであって、前扉30の前面における所定位置、具体的には、操作部33の上面右側に設けられている（図１参照）。このメダル投入口44には、遊技メダルを通過させることが可能な内寸のスリット44aが、その上部から下部まで至るように形成されている。そして、スリット44aの上側が、受入口として開口するとともに、スリット44aの下側が、排出口として開口している。これにより、受入口に投入された遊技メダルがスリット44aを通過して下方へ落下し排出口から排出されるようになっている。
【００２８】
（メダルセレクター43）
メダルセレクター43は、上述の如く、メダル投入口44から投入された遊技メダルが正規のものであるか否かの選別を行うためのものであって、前扉30の裏面における、メダル投入口44に対応する位置、より具体的には、メダル投入口44の下端よりも下方に相当する位置に取り付けられている（図２参照）。
メダルセレクター43は、図３（ａ）に示すように、箱形のセレクターケース57と、セレクターケース57を背面側から覆うように、このセレクターケース57に取り付けられたセレクターカバー58とを備えている。このメダルセレクター50は、セレクターケース57とセレクターカバー58とにより、外形が四角箱型に見えるようになっている。
【００２９】
また、メダルセレクター43の上面右側には、図３（ａ）に示すように、メダル投入口44から投入された遊技メダルを受け入れ、当該遊技メダルが通過可能なメダル入口59が設けられており、メダルセレクター43を所定の取付位置に取り付けると、メダル投入口44の排出口とメダルセレクター43のメダル入口59とが合致する。これにより、メダル投入口44の受入口から投入された遊技メダルがメダルセレクター43内へスムーズに流れるようになっている。また、メダルセレクター43の左側面下側には、ホッパー装置27方向へ向けて遊技メダルを排出するためのメダル出口60が設けられている。
また、メダルセレクター43の内部には、特に図示していないが、メダル入口59からメダル出口60まで至るメダル案内通路が形成されている。このメダル案内通路は、特に図示していないが、「く」の字あるいは「Ｌ」の字のように途中で屈曲した形状に形成されており、メダル入口59からほぼ鉛直下方へ向かう鉛直通路と、鉛直通路の下端から斜め下方へ向けて緩やかに傾斜する傾斜通路とからなる。そして、傾斜通路の上流側には、特に図示していないが、正規の遊技メダルよりも直径や厚さが小さい遊技メダルをメダル案内通路から排除する選別手段が設けられている。また、傾斜通路の中間部には、特に図示していなが、遊技メダルの投入不可状態において、正規の遊技メダルをメダル案内通路から強制的に排除する排除手段が設けられている。また、傾斜通路の下流側には、特に図示していないが、遊技メダルの通過を検出するための検出手段が設けられている。そして、この検出手段により、傾斜通路を流下してきた遊技メダルが検出されると、当該遊技メダルが遊技に使用可能な遊技メダルとしてカウントされ、さらには、メダル出口60から排出されてホッパー装置27へ至るようになっている。
【００３０】
また、メダルセレクター43の左側面には、図３（ａ）及び（ｂ）に示すように、左方向へ向けて突出する円柱状の突起である固定突起62が、上下方向に所定間隔をおいてそれぞれ１つずつ設けられている。また、メダルセレクター43の右側面にも、右方向へ向けて突出する円柱状の突起である固定突起62が、上下方向に所定間隔をおいてそれぞれ１つずつ設けられている。本形態に係るスロットマシン10には、特に図示していないが、メダルセレクター43を前扉30の裏面に着脱可能に取り付けるためのセレクターブラケットが設けられているとともに、このセレクターブラケットに、各固定突起62が嵌合可能な固定溝（特に図示しておらず）が形成されている。そして、この固定溝に固定突起62を嵌めこむことで、メダルセレクター43がセレクターブラケット（特に図示しておらず）に取り付けられ、これにより、メダルセレクター43が前扉30の裏面に取り付けられるようになっている。
【００３１】
また、特に図示していないが、メダルセレクター43を前扉30の裏面に備えられた中継基板（特に図示しておらず）に電気的に接続するための接続ケーブルとしてのハーネスが、メダルセレクター43の左側面から延設されている。
（リブ71（間隙遮蔽部70））
本形態に係るスロットマシン10においては、上述の如く、メダルセレクター43は、メダル投入口44の下端よりも下方に相当する位置に取り付けられる。そのため、メダル投入口44及びメダルセレクター43が前扉30に取り付けられた状態では、メダル投入口44とメダルセレクター43との間、すなわち、メダル投入口44の下端とメダルセレクター43の上端との間には若干の間隙が生じるようになっている（図４参照）。
【００３２】
そして、メダルセレクター43の上面には、図３（ａ）に示すように、スリット44a及びメダル入口59よりも奥側に、上述の間隙を遮蔽するための間隙遮蔽部70が設けられている。具体的には、間隙遮蔽部70は、図３（ａ）及び（ｂ）に示すように、メダルセレクター43の上面から上方に突出するように設けられた平面視Ｕ字状のリブ71となっており、メダルセレクター43の上面におけるメダル入口59よりも奥側に位置している。
このリブ71は、メダル入口59に沿って、メダル入口59の右端から、メダル入口59の左端よりもやや左側まで至る（すなわち、メダル入口59を含む横幅を有する）奥側突条部71aと、奥側突条部71aの左端及び右端からそれぞれ前面方向に延設された側部突条部71bとから構成されている（図３（ａ）及び（ｂ）参照）。また、このリブ71は、図４に示すように、メダル投入口44の背面よりも奥側に位置するようになっているとともに、奥側突条部71aの上端がメダル投入口44の下面よりも上側の高さ位置まで至るようになっている。
【００３３】
なお、リブ71の奥側突条部71aは、少なくとも上端がメダル投入口44の下面の高さ位置まで至っていれば、その高さにについては特に限定されるものではない。また、奥側突条部71aは、少なくともメダル入口59の右端からメダル入口59の左端まで至っていれば、その横幅については特に限定されるものではない。
また、この間隙遮蔽部70としてのリブ71は、メダルセレクター43の上面からメダル投入口44に向けて突出するように形成するのではなく、メダル投入口44の下面からメダルセレクター43に向けて突出するように形成してもよい。また、メダルセレクター43の上面からメダル投入口44に向けて突出するリブ71と、メダル投入口44の下面からメダルセレクター43に向けて突出するリブ71とを設けるとともに、双方のリブ71が互いに係合するように形成することで、この双方のリブ71により、上述の間隙を遮蔽するように形成してもよい。
【００３４】
（まとめ）
本形態に係るスロットマシン10においては、前扉30の前面側にメダル投入口44が設けられており、このメダル投入口44は、遊技メダルが通過可能でありかつ遊技メダルを下方へ落下させるためのスリット44aを有している。また、前扉30の裏面側におけるメダル投入口44の下端よりも下方にメダルセレクター43が設けられており、このメダルセレクター43の上面には、メダル投入口44から投入された遊技メダルが通過可能なメダル入口59が形成されている。
そして、メダルセレクター43の上面には、メダル投入口44とメダルセレクター43との間に生じる間隙を遮蔽するためのリブ71（間隙遮蔽部70）が設けられている。
【００３５】
すなわち、本形態に係るスロットマシン10によれば、スリット44a及びメダル入口59よりも奥側に設けられたリブ71により、メダル投入口44とメダルセレクター43との間に生じる間隙が遮蔽されるため、メダル投入口44からピアノ線等のワイヤー状部材が挿入されたとしても、メダル投入口44及びメダルセレクター43よりも奥側の筐体20内部へ進入することができない。
したがって、本形態に係るスロットマシン10によれば、メダル投入口44からワイヤー状部材を挿入することにより、メダル投入口44とメダルセレクター43との間に生じる間隙を介して、筐体20内の装置に不正にアクセスされるのを効果的に防止することができるのである。
【００３６】
なお、本形態に係るスロットマシン10では、メダル投入口44の排出口とメダルセレクター43のメダル入口59とが合致するように形成されているため、メダル投入口44の排出口の大きさと、メダルセレクター43のメダル入口59の大きさとは一致するものとなっているが、メダル投入口44の排出口又はメダルセレクター43のメダル入口59の一方が、他方よりも大きくなるように形成してもよい。この場合には、間隙遮蔽部70としてのリブ71は、少なくとも横幅の大きい方の左端から右端まで至るように形成するのが望ましい。
また、間隙遮蔽部70は、上述の間隙を遮蔽できればリブ71に限定されるものではなく、たとえば、薄板形状の遮蔽板等とすることもできる。
【００３７】
（第２の形態）
第２の形態は、後述する如く、間隙遮蔽部70及びこれに関連する構成が第１の形態と相違し、他については第１の形態と同一である。以下、第２の形態について、図５〜図７に基づき、第１の形態との相違点を中心に具体的に説明する。
（前扉30）
本形態に係るスロットマシン10も、第１の形態に係るスロットマシン10と同様に、前扉30の前面に形成された操作部33の上面右側にメダル投入口44が設けられている（図５参照）。そして、前扉30の裏面における、メダル投入口44に対応する位置、より具体的には、メダル投入口44の後方側であって当該メダル投入口44の下端よりも下方に相当する位置に、メダルセレクター43が取り付けられている。なお、前扉30の裏面には、メダルセレクター43を前扉30の裏面に着脱可能に取り付けるためのセレクターブラケット56が設けられており、このセレクターブラケット56にメダルセレクター43が取り付けられることによって、メダルセレクター43が前扉30の裏面に取り付けられるようになっている（図５参照）。また、前扉30の裏面における、メダルセレクター43からホッパー装置27へ向けての位置には、メダル流路形成部材61が設けられている（図５参照）。
【００３８】
また、本形態に係るスロットマシン10には、前扉30の裏面における、メダルセレクター43の右方に、図５に示すように、前扉30の裏面を覆う遮蔽カバー98が設けられている。この遮蔽カバー98は、操作部33に形成された取付開口（特に図示しておらず）を介して取り付けられているベットスイッチ、ストップスイッチ38及び演出スイッチ39、並びに、各スイッチと対応する取付開口との間に生じる間隙を一体に、前扉30の裏面から覆うためのカバー部材である。
（壁部80）
本形態におけるメダル投入口44には、図５に示すように、後述するメダルセレクター43の間隙遮蔽部70と係合することにより、メダル投入口44からメダルセレクター43まで至る遊技メダルの流路を形成するための壁部80が設けられている。
【００３９】
壁部80は、図５及び図７に示すように、メダル投入口44の下面からメダルセレクター43へ向けて延設される薄板状部材であり、その下端は、メダルセレクター43におけるメダル入口59の手前側の縁に沿い、かつ、メダルセレクター43の上面よりもやや上方の位置まで至っている。
また、壁部80の上端には、図５及び図７に示すように、左端から右端まで至り、奥側へ向けて突出する突条である係止凸部82が形成されている。そして、この係止凸部82には、図５に示すように、遊技メダルを通過させることが可能な内寸のスリット44aが、その上部から下部まで至るように形成されている。
【００４０】
また、壁部80には、図５に示すように、上端から下端まで、より具体的には、スリット44aと対応する位置からメダルセレクター43のメダル入口59と対応する位置まで至るメダル流路構成溝部81が形成されている。このメダル流路構成溝部91は、スリット44aからメダルセレクター43のメダル入口59まで至る遊技メダルの流路を構成するためのものであって、「Ｌ」の字のように途中で屈曲した形状に形成されており、上端から鉛直下方へ向かう鉛直溝81aと、鉛直溝81aの下端から斜め下方へ向けて傾斜する傾斜溝81bとからなる。また、メダル流路構成溝部81の両側縁には、奥側へ向けて突出する流路壁83が形成されている。
【００４１】
（遮蔽板90（間隙遮蔽部70））
本形態に係るスロットマシン10も、第１の形態と同様に、メダル投入口44及びメダルセレクター43が前扉30に取り付けられた状態で、メダル投入口44とメダルセレクター43との間（すなわち、メダル投入口44の下端とメダルセレクター43の上端との間）に若干の間隙が生じるようになっている。
そして、本形態に係るスロットマシン10におけるメダルセレクター43の上面には、図６に示すように、上述の間隙を遮蔽するための間隙遮蔽部70として、遮蔽板90が設けられている。
【００４２】
この遮蔽板90は、図６に示すように、薄板形状に形成された板状部材であって、メダル入口59の奥側の縁に沿って、メダルセレクター43の上面からメダル投入口44に向けて立設するものである。すなわち、この遮蔽板90は、スリット44a及びメダル入口59を挟んで、メダル投入口44に設けられた壁部80と対向するように設けられている。
また、この遮蔽板90は、図６及び図７に示すように、メダル入口59の右端から、メダル入口59の左端よりもやや左側まで至る（すなわち、メダル入口59を含む横幅を有する）と共に、その上端は、メダル投入口44のスリット44aよりも上側まで至っている。
また、遮蔽板90の上端には、図６に示すように、凹溝である係止凹部92が形成されている。この係止凹部92は、メダル投入口44に設けられている壁部80の係止凸部82と対応する位置に形成されており、メダル投入口44及びメダルセレクター43を前扉30に取り付けると、係止凸部82が係止凹部92に係止することで、遮蔽板90と壁部80とが係合するようになっている。
【００４３】
また、遮蔽板90には、図６に示すように、上部から下端まで、より具体的には、メダル投入口44のスリット44aと対応する位置からメダルセレクター43のメダル入口59と対応する位置まで至るメダル流路構成溝部91が形成されている。このメダル流路構成溝部91は、壁部80に形成されているメダル流路構成溝部81と一対をなすように形成されているものであり、具体的には、「Ｌ」の字のように途中で屈曲した形状に形成されており、上端から鉛直下方へ向かう鉛直溝91aと、鉛直溝91aの下端から斜め下方へ向けて傾斜する傾斜溝91bとからなる。
そして、メダル投入口44及びメダルセレクター43を前扉30に取り付けることで遮蔽板90と壁部80とが係合すると、壁部80のメダル流路構成溝部81と遮蔽板90のメダル流路構成溝部91との間に間隙が形成されることとなり、これをもって、スリット44aからメダルセレクター43のメダル入口59まで至る遊技メダルの流路が構成される。すなわち、壁部80のメダル流路構成溝部81、遮蔽板90のメダル流路構成溝部91、及び、壁部80のメダル流路構成溝部81の両側縁から奥側（すなわち、遮蔽板90の方向に向けて）突出するように設けられた流路壁83により囲まれた空間が、遊技メダルの流路に該当することとなる。
【００４４】
なお、本形態に係るスロットマシン10においては、メダル投入口44に壁部80を設け、メダルセレクター43に間隙遮蔽部70としての遮蔽板90を設けていたが、これとは逆に、メダル投入口44に間隙遮蔽部70としての遮蔽板90を設け、メダルセレクター43に壁部80を設けるように形成してもよい。
（まとめ）
本形態に係るスロットマシン10には、前扉30の前面側にメダル投入口44が設けられ、このメダル投入口44には、メダルセレクター43方向へ向けて延びる壁部80が設けられている。この壁部80には、奥側に突出する突条である係止凸部82が形成されている。また、この係止凸部82には、上部から下部まで貫通し、遊技メダルが通過可能でありかつ遊技メダルを下方へ落下させるためのスリット44aが形成されている。すなわち、メダル投入口44は、スリット44aを有している。
【００４５】
また、前扉30の裏面側におけるメダル投入口44の下端よりも下方にメダルセレクター43が設けられており、このメダルセレクター43の上面には、メダル投入口44から投入された遊技メダルが通過可能なメダル入口59が形成されている。
そして、メダルセレクター43の上面には、スリット44a及びメダル入口59よりも奥側に位置し、メダル投入口44とメダルセレクター43との間に生じる間隙を遮蔽するための遮蔽板90（間隙遮蔽部70）が設けられている。また、上述の如く、メダル投入口44には、壁部80が設けられており、この壁部80は、スリット44a及びメダル入口59を挟んで遮蔽板90と対向するとともに、係止凸部82が遮蔽板90に形成されている係止凹部92に係止することにより、遮蔽板90と係合するようになっている。
【００４６】
そして、遮蔽板90と壁部80とが係合することで、遮蔽板90と壁部80との間に間隙が形成され、これにより、スリット44aからメダル入口59まで至る遊技メダルの流路が形成される。
すなわち、本形態に係るスロットマシン10によれば、スリット44a及びメダル入口59よりも奥側に設けられた遮蔽板90により、メダル投入口44とメダルセレクター43との間に生じる間隙が遮蔽されるため、メダル投入口44からピアノ線等のワイヤー状部材が挿入されたとしても、メダル投入口44及びメダルセレクター43よりも奥側の筐体20内部へ進入することができない。
【００４７】
したがって、本形態に係るスロットマシン10によれば、メダル投入口44からワイヤー状部材を挿入することにより、メダル投入口44とメダルセレクター43との間に生じる間隙を介して、筐体20内の装置に不正にアクセスされるのを効果的に防止することができるのである。
また、本形態に係るスロットマシン10によれば、スリット44aからメダル入口59まで至る遊技メダルの流路は、遮蔽板90及び壁部80という異なる２つの別部材を係合させて構成される。すなわち、本形態に係るスロットマシン10によれば、たとえば、上述の流路内において発生したメダル詰まりを解消する場合や、当該流路を清掃するような場合には、係合している遮蔽板90及び壁部80の係合を解除する（すなわち、分離する）ことで所望の作業ができるため、メンテナンス性の向上を図ることができるのである。
【００４８】
特に、本形態に係るスロットマシン10のように、メダル投入口44からメダルセレクター43まで至る遊技メダルの流路が屈曲しているような場合には、遮蔽板90及び壁部80の係合を解除することで、遊技メダルの流路における、屈曲している箇所よりも下流部分について、上述のようなメンテナンスが格段に行いやすくなる。
なお、本形態に係るスロットマシン10では、メダル投入口44のスリット44aの下側開口とメダルセレクター43のメダル入口59とが合致するように形成されているため、メダル投入口44の下側開口の大きさと、メダルセレクター43のメダル入口59の大きさとは一致するものとなっているが、メダル投入口44の下側開口又はメダルセレクター43のメダル入口59の一方が、他方よりも大きくなるように形成してもよい。この場合には、間隙遮蔽部70としての遮蔽板90は、少なくとも横幅の大きい方の左端から右端まで至るように形成するのが望ましい。
【００４９】
また、間隙遮蔽部70は、上述の間隙を遮蔽できれば遮蔽板90に限定されるものではなく、たとえば、リブ等とすることもできる。
（変形例）
第１の形態に係るスロットマシン10及び第２の形態に係るスロットマシン10においては、メダルセレクター43と中継基板とを電気的に接続するためのハーネスが、メダルセレクター43の左側面から延設されているが、このハーネスは、所定の位置に設けられた挿通孔を通した上で、中継基板に接続してもよい。
具体的には、図８及び図９に示すように、メダルセレクター43の左側面からハーネス96が延設されている。また、前扉30の裏面であって、メダルセレクター43の右方に中継基板97が設けられている。
【００５０】
また、メダルセレクター43の背面における左下部には、図８及び図９に示すように、ハーネス96が挿通可能なハーネス挿通部95が設けられている。このハーネス挿通部95は、メダルセレクター43の背面から奥方向へ向けて突出する突出部材に、上部から下部へ向けて貫通し、ハーネス96を挿通可能な内寸を有する挿通孔（特に図示しておらず）を形成したものである。
そして、メダルセレクター43の左側面から延設されるハーネス96は、図８に示すように、ハーネス挿通部95の挿通孔に挿通された上で、中継基板97に接続することができる。
このようにすることで、上記第１の形態又は第２の形態と同様の作用・効果を奏するとともに、塞ぎ切れていない前扉30の隙間からメダルセレクター43にアクセスし、不正な外力を加えることによりメダルセレクター43が前扉30の裏面から取り外されるようなことがあっても、メダルセレクター43がハーネス96に引っ掛かるため、メダルセレクター43が完全に前扉30の裏面から滑落してしまうのを防止することができる。これにより、メダル投入口44から筐体20内部の装置にアクセスするにあたっての障害物となるメダルセレクター43を、前扉30の裏面から滑落させて取り除くことにより、筐体20内部の装置へのアクセスを容易にするという不正行為を防止することもできるのである。したがって、仮に間隙遮蔽部70が破壊されるようなことがあっても、依然、メダル投入口44から筐体20内部の装置へのアクセスが困難な状況を維持することができるのである。
【００５１】
（その他）
第２の形態に係るスロットマシン10には、前扉30の裏面に遮蔽カバー98が設けられていたが、この遮蔽カバー98は、第１の形態に係るスロットマシン10にも設けることができる。
【符号の説明】
【００５２】
10  スロットマシン          20  筐体
20a 開口                    21  リールユニット
25  回転リール
26  中板                    27  ホッパー装置
28  電源装置                29a メイン基板ユニット
29b サブ基板ユニット        30  前扉
31  ヒンジ                  32a 上部パネル
32b 下部パネル              33  操作部
34  表示窓                  36a シングルベットスイッチ
36b マックスベットスイッチ  37  スタートスイッチ
38  ストップスイッチ        39  演出スイッチ
40  メダル払出口            41  メダル受け皿
42  鍵穴                    43  メダルセレクター
44  メダル投入口            44a スリット
45  メダルシュート          46  オーバーフロータンク
52  ランプ                  53  液晶表示装置
54  スピーカー              55  サイドランプ
56  セレクターブラケット    57  セレクターケース
58  セレクターカバー        59  メダル入口
60  メダル出口              61  メダル流路形成部材
62  固定突起
70  間隙遮蔽部              71  リブ
71a 奥側突条部              71b 側部突条部
80  壁部                    81  メダル流路構成溝部
81a 鉛直溝                  81b 傾斜溝
82  係止凸部                83  流路壁
90  遮蔽板                  91  メダル流路構成溝部
91a 鉛直溝                  91b 傾斜溝
92  係止凹部
95  ハーネス挿通部          96  ハーネス
97  中継基板                98  遮蔽カバー
【図１】
2014018558.tif 000003
【図２】
2014018558.tif 000004
【図３】
2014018558.tif 000005
【図４】
2014018558.tif 000006
【図５】
2014018558.tif 000007
【図６】
2014018558.tif 000008
【図７】
2014018558.tif 000009
【図８】
2014018558.tif 000010
【図９】
2014018558.tif 000011